【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
患者の眼の母集団における少なくとも１つの眼球パラメータの変動に対処するために眼内レンズ（ＩＯＬ）を設計するための方法であり、
前記母集団によって示される範囲で前記眼球パラメータを変動させることができる、少なくとも１つの眼球模型を作るステップと、
前記患者母集団における眼の視覚性能について複数のＩＯＬ設計を評価するために、前記眼球模型を用いるステップと、
前記母集団によって示される前記範囲の少なくとも一部について最良適合の視覚性能をもたらすＩＯＬ設計を選択するステップと、
を含む、方法。
【請求項２】
さらに、前記ＩＯＬ設計によって示される視覚性能に重み関数を応用するステップを含み、前記関数が前記母集団における前記眼球パラメータの分布に基づく、請求項１に記載の方法。
【請求項３】
該方法において、前記視覚性能が視力を含む、請求項２に記載の方法。
【請求項４】
さらに、前記ＩＯＬ設計の中から加重視力の最適値として最良適合の視力を決定するステップを含む、請求項３に記載の方法。
【請求項５】
さらに、少なくとも１つのレンズ設計パラメータの変動に基づいて前記ＩＯＬ設計を生み出すステップを含む、請求項１に記載の方法。
【請求項６】
さらに、前記ＩＯＬ設計によって示される前記視力を得るために、前記眼球模型の網膜における変調伝達関数を決定するステップを含む、請求項３に記載の方法。
【請求項７】
眼内レンズ（ＩＯＬ）を設計するための方法であり、
少なくとも１つの眼のバイオメトリックパラメータを変動させることができる人間の眼球模型を作るステップと、
前記眼球模型に複数のＩＯＬ設計を組み込み、患者母集団の眼によって示される範囲の少なくとも一部において、前記眼球パラメータを変動させることによって前記設計の光学的性能を評価するステップと、
望ましいレベルの性能をもたらす前記ＩＯＬ設計のうちの１つを選択するステップと、
を含む、方法。
【請求項８】
さらに、少なくとも１つのレンズ設計パラメータを変動させることによって前記ＩＯＬ設計を生み出すステップを含む、請求項７に記載の方法。
【請求項９】
該方法において、前記レンズ設計パラメータが非球面レンズ表面の円錐定数、円環体レンズ表面と関連付けられる２つの円錐定数、またはレンズ表面に配置される回折パターンのゾーン境界におけるステップ高さと関連付けられるアポディゼーション関数のうちいずれかを含む、請求項８に記載の方法。
【請求項１０】
該方法において、ＩＯＬ設計の光学的性能を評価する前記ステップが、さらに前記眼球パラメータ範囲全体において、前記設計によってもたらされる平均視力を決定するために前記眼球模型を用いるステップを含む、請求項７に記載の方法。
【請求項１１】
さらに、前記視力を決定するために前記眼球模型の前記網膜における変調伝達関数を計算するステップを含む、請求項１０に記載の方法。
【請求項１２】
さらに、前記患者母集団によって示される前記眼球パラメータの確率分布に従って前記平均視力を加重するステップを含む、請求項１１に記載の方法。
【請求項１３】
さらに、最適性能をもたらすものとして最大加重平均視力を示すＩＯＬ設計を特定するステップを含む、請求項１２に記載の方法。
【請求項１４】
さらに、前記眼球パラメータを変動させるためにモンテカルロシミュレーションを利用するステップを含む、請求項７に記載の方法。
【請求項１５】
さらに、前記ＩＯＬ設計のうち１つまたはそれ以上に、少なくとも１つのレンズ特性に関連付けられる製造公差の推定値を組み込むステップを含む、請求項７に記載の方法。
【請求項１６】
該方法において、前記レンズ特性がレンズ表面に関連する不規則性、レンズ表面の半径、レンズ表面の非球性、およびレンズ厚みの何れかを含む、請求項１５に記載の方法。
【請求項１７】
母集団の患者の眼によって示される範囲内の眼球パラメータを特徴とする患者の眼に埋め込むための眼内レンズ（ＩＯＬ）を提供するための方法であり、
少なくとも１つのレンズ設計パラメータが変動する複数のＩＯＬを用意するステップと、
前記患者の眼に埋め込むために、前記眼球パラメータ範囲の少なくとも一部において最良適合の視力をもたらす前記ＩＯＬのうちの１つを選択するステップと、
を含む、方法。
【請求項１８】
さらに、前記範囲内の複数の眼球パラメータ値について、各ＩＯＬによって示される視力を決定するステップを含む、請求項１７に記載の方法。
【請求項１９】
さらに、前記母集団における前記眼球パラメータの確率分布に基づいて、各ＩＯＬについて加重平均視力を生成するステップを含む、請求項１８に記載の方法。
【請求項２０】
さらに、前記加重平均視力の最大値として最良適合の視力を特定するステップを含む、請求項１８に記載の方法。
【請求項２１】
該方法において、前記眼球パラメータが眼の光軸からの視線の偏差を含む、請求項１７に記載の方法。
【請求項２２】
該方法において、前記レンズ設計パラメータが非球面レンズ表面の円錐定数を含む、請求項１７に記載の方法。
【請求項２３】
該方法において、前記レンズ設計パラメータが円環体レンズ表面に関連付けられる２つの円錐定数を含む、請求項１７に記載の方法。
【請求項２４】
該方法において、前記レンズ設計パラメータがレンズ表面に配置される回折パターンのゾーン境界におけるステップ高さに関連付けられるアポディゼーション関数を含む、請求項１７に記載の方法。
【請求項２５】
さらに、ＩＯＬによって示される前記視力を決定するために前記ＩＯＬを組み込む人間の眼球模型の網膜における変調伝達関数を計算するステップを含む、請求項１８に記載の方法。
【請求項２６】
一群の眼内レンズ（ＩＯＬ）を設計するための方法であり、
患者の眼の母集団によって示される範囲全体において少なくとも１つの眼球パラメータを変動させることができる少なくとも１つの眼球模型を作るステップと、
前記患者母集団の眼について複数のＩＯＬ設計の視覚性能を評価するために前記眼球モデルを用いるステップと、
少なくとも２つのＩＯＬ設計を選択するステップであり、前記設計のうち１つが前記母集団の１つの部分について最良適合の視覚性能をもたらし、他の１つが前記母集団の別の部分について最良適合の視覚性能をもたらす、ステップと、
を含む、方法。
【請求項２７】
該方法において、前記眼球パラメータが、眼球軸長さ、角膜非球性、角膜半径、および前眼房深さのいずれかを含む、請求項１，７，１７，２６の何れかに記載の方法。
【請求項２８】
該方法において、少なくとも２つのＩＯＬ設計を選択する前記ステップが前記母集団の３つの部分のために３つのＩＯＬ設計を選択するステップを含み、該方法において、前記ＩＯＬ設計がそれぞれ約−０．１、約−０．２及び約−０．３ミクロンの球面収差を示す、請求項２６に記載の方法。
【請求項２９】
眼科レンズの視覚性能をモデリングするための方法であり、
前記眼科レンズを組み込む模型眼球を作るステップと、
前記模型眼球の網膜平面における変調伝達関数（ＭＴＦ）を決定するステップと、
前記模型眼球のコントラスト感度を評価するために低空間周波数に対応する少なくとも１つのＭＴＦ値を利用するステップと、
を含む、方法。
【請求項３０】
該方法において、前記低空間周波数が約６０  ｌｐ／ｍｍ（〜１８サイクル／度）未満である、請求項２９に記載の方法。
【請求項３１】
該方法において、前記低空間周波数が約５から約６０  ｌｐ／ｍｍまで（〜１．５から１８サイクル／度まで）の範囲にある、請求項３０に記載の方法。
【請求項３２】
さらに、前記模型眼球の視力を評価するために高空間周波数に対応する少なくとも１つのＭＴＦ値を利用するステップを含む、請求項２９に記載の方法。
【請求項３３】
該方法において、前記高空間周波数が約６０  ｌｐ／ｍｍ（〜１８サイクル／度）より大きい、請求項３２に記載の方法。
【請求項３４】
該方法において、前記眼用レンズが眼内レンズを含む、請求項２９に記載の方法。
【請求項３５】
該方法において、前記高空間周波数が約６０から約１００  ｌｐ／ｍｍまで（〜１８から３０サイクル／度まで）の範囲にある、請求項３３に記載の方法。
【請求項３６】
眼科レンズの視覚性能をモデリングするための方法であり、
前記眼用レンズを組み込む模型眼球を作るステップと、
前記模型眼球の網膜平面における変調伝達関数（ＭＴＦ）を決定するステップと、
前記模型眼球の視力を評価するために高空間周波数に対応する少なくとも１つのＭＴＦ値を利用するステップと、
を含む、方法。
【請求項３７】
該方法において、前記高空間周波数が約６０  ｌｐ／ｍｍ（〜１８サイクル／度）より大きい、請求項３６に記載の方法。
【請求項３８】
該方法において、前記高空間周波数が約６０から約１００  ｌｐ／ｍｍまで（〜１８から３０サイクル／度まで）の範囲にある、請求項３７に記載の方法。